(57)【特許請求の範囲】
【請求項１】
上枠と下枠と左右の縦枠を備える枠体と、
前記枠体に対してスライド可能に設けられ、上框と下框と合成樹脂製の左右の竪框を備える障子と、を有し、
前記左右の縦枠の少なくとも一方の縦枠は、前記竪框に形成された凹部と係合する縦レールを備える窓において、
前記竪框の内部には、前記竪框の長手方向に連続する金属製補強材が挿入されており、
前記凹部には、
前記竪框の長手方向に連続する遮炎金具と、
前記遮炎金具よりも厚い厚みを有し、前記障子がスライド可能な方向に沿う面が、見込み方向において前記縦レールと重なり合う重合部を有する障子開き防止金具と、が、設けられており、
前記障子開き防止金具は、前記金属製補強材にビスにより固定されていることを特徴とする窓。
【請求項２】
請求項１に記載の窓において、
前記凹部には、アルミブロックと樹脂カバーとで構成される引寄せ片が取り付けられており、
前記アルミブロックは、見込み方向において前記縦レールと重なり合う重なり部を有することを特徴とする窓。
【請求項３】
請求項２に記載の窓において、
前記障子開き防止金具の上下方向における長さは、前記アルミブロックの上下方向における長さよりも長いことを特徴とする窓。
【請求項４】
請求項１乃至請求項３のいずれかに記載の窓において、
前記障子開き防止金具の上下方向における長さは、前記竪框の上下方向における長さの８％以上１２％以下であることを特徴とする窓。
【請求項５】
請求項１乃至請求項４のいずれかに記載の窓において、
前記上枠と前記下枠と左右の前記縦枠と前記上框と前記下框は、合成樹脂製であり、
前記上枠と前記上框には、障子閉鎖時に見込み方向において互いに重なり合うスチール製の上枠吊り金具及び上框吊り金具とが設けられており、
前記障子開き防止金具は、前記竪框の下部に設けられていることを特徴とする窓。
【請求項６】
請求項１乃至請求項５のいずれかに記載の窓において、
前記障子開き防止金具には、加熱発泡材が取り付けられており、
前記遮炎金具にも、加熱発泡材が取り付けられており、
前記障子開き防止金具の加熱発泡材と前記遮炎金具の加熱発泡材は、前記縦レールが双方の加熱発泡材の間に位置した状態で、互いに対向していることを特徴とする窓。
【請求項７】
請求項６に記載の窓において、
前記縦レールにも、加熱発泡材が取り付けられており、
該縦レールの加熱発泡材は、前記障子開き防止金具の加熱発泡材と前記遮炎金具の加熱発泡材の少なくとも一方の加熱発泡材と対向していることを特徴とする窓。
【発明の詳細な説明】
【技術分野】
【０００１】
本発明は、窓に関する。特に、上枠と下枠と左右の縦枠を備える枠体と、前記枠体に対してスライド可能に設けられ、上框と下框と左右の竪框を備える障子と、を有する窓に関する。
【背景技術】
【０００２】
上枠と下枠と左右の縦枠を備える枠体と、当該枠体に対してスライド可能に設けられ、上框と下框と左右の竪框を備える障子と、を有する窓は、既によく知られている。このような窓としては、引違い窓や片引き窓を例に挙げることができる。
【０００３】
このような窓においては、左右の縦枠の少なくとも一方の縦枠に、竪框に形成された凹部と係合する縦レールが設けられている。
【先行技術文献】
【特許文献】
【０００４】
【特許文献１】特開２０１３−１３６８８０号公報
【発明の概要】
【発明が解決しようとする課題】
【０００５】
従来の窓においては、火災が発生すると、障子が見込み方向において加熱面側へ引っ張られて、障子の竪框に形成された凹部が縦レールから外れる（抜ける）場合があった。このような場合には、当該竪框が開くことにより、火炎の通り道（貫通孔）が生じてしまう課題があった。
【０００６】
本発明は、かかる課題に鑑みてなされたものであり、その目的とするところは、火災が発生した際に竪框が開いて火炎の通り道が生ずることを防止可能な窓を実現することにある。
【課題を解決するための手段】
【０００７】
かかる目的を達成するために本発明の窓は、上枠と下枠と左右の縦枠を備える枠体と、
前記枠体に対してスライド可能に設けられ、上框と下框と合成樹脂製の左右の竪框を備える障子と、を有し、
前記左右の縦枠の少なくとも一方の縦枠は、前記竪框に形成された凹部と係合する縦レールを備える窓において、
前記竪框の内部には、前記竪框の長手方向に連続する金属製補強材が挿入されており、
前記凹部には、
前記竪框の長手方向に連続する遮炎金具と、
前記遮炎金具よりも厚い厚みを有し、前記障子がスライド可能な方向に沿う面が、見込み方向において前記縦レールと重なり合う重合部を有する障子開き防止金具と、が、設けられており、
前記障子開き防止金具は、前記金属製補強材にビスにより固定されていることを特徴とする窓である。
【０００８】
このような窓によれば、障子（竪框）に加熱面側へ引っ張られる力がかかって動こうとしても、障子開き防止金具が縦レールに当たってブロックされる。そのため、障子開き防止金具が、火災の際に、障子（竪框）が開いて火炎の通り道が生ずることを防止する役割を果たすので、火災が発生した際に竪框が開いて火炎の通り道が生ずることを防止可能な窓を実現することが可能となる。
【０００９】
また、凹部には、竪框の長手方向に連続する遮炎金具が取り付けられているので、火炎を適切に遮ることが可能となり、より一層防火機能が向上する。
【００１０】
また、障子開き防止金具が縦レールに当たった際に、障子開き防止金具の厚さが厚いことに起因して、障子開き防止金具が破損することなく、確実なブロックが成される。したがって、火災が発生した際に竪框が開いて火炎の通り道が生ずることをより適切に防止することが可能となる。
【００１１】
また、火災の際に竪框が火炎に晒されて溶融したとしても、金属製補強材に障子開き防止金具が固定された状態が維持される。したがって、火災が発生した際に竪框が開いて火炎の通り道が生ずることをより適切に防止することが可能となる。
【００１２】
かかる窓であって、前記凹部には、アルミブロックと樹脂カバーとで構成される引寄せ片が取り付けられており、
前記アルミブロックは、見込み方向において前記縦レールと重なり合う重なり部を有することが望ましい。
【００１３】
このような窓によれば、障子開き防止金具だけではなく、引寄せ片にも、火災の際に重なり部が縦レールに当たることにより竪框が開いて火炎の通り道が生ずることを防止する機能を持たせることが可能となる。そのため、火災が発生した際に竪框が開いて火炎の通り道が生ずることをより適切に防止することが可能となる。
【００１４】
かかる窓であって、前記障子開き防止金具の上下方向における長さは、前記アルミブロックの上下方向における長さよりも長いことが望ましい。
【００１５】
このような窓によれば、専用部材である障子開き防止金具に多大な障子開き防止機能を持たせることができ、火災が発生した際に竪框が開いて火炎の通り道が生ずることをより適切に防止することが可能となる。
【００１６】
かかる窓であって、前記障子開き防止金具の上下方向における長さは、前記竪框の上下方向における長さの８％以上１２％以下であることが望ましい。
【００１７】
このような窓によれば、低コストで障子開き防止機能が適切に働く障子開き防止金具を実現することが可能となる。
【００１８】
かかる窓であって、前記上枠と前記下枠と左右の前記縦枠と前記上框と前記下框は、合成樹脂製であり、
前記上枠と前記上框には、障子閉鎖時に見込み方向において互いに重なり合うスチール製の上枠吊り金具及び上框吊り金具とが設けられており、
前記障子開き防止金具は、前記竪框の下部に設けられていることが望ましい。
【００１９】
このような窓によれば、障子開き防止金具が竪框における適切な位置に設けられているため、火災が発生した際に竪框が開いて火炎の通り道が生ずることをより適切に防止することが可能となる。
【００２０】
かかる窓であって、
前記障子開き防止金具には、加熱発泡材が取り付けられており、
前記遮炎金具にも、加熱発泡材が取り付けられており、
前記障子開き防止金具の加熱発泡材と前記遮炎金具の加熱発泡材は、前記縦レールが双方の加熱発泡材の間に位置した状態で、互いに対向していることが望ましい。
【００２１】
このような窓によれば、双方の加熱発泡材が、火災の際に火炎に晒されて膨張した際には、双方の間に位置する縦レールを挟み込むこととなり、縦レールが変形することを抑えることが可能となる。したがって、竪框に形成された凹部が縦レールから外れにくくなり、火災が発生した際に竪框が開いて火炎の通り道が生ずることをより適切に防止することが可能となる。
【００２２】
かかる窓であって、前記縦レールにも、加熱発泡材が取り付けられており、
該縦レールの加熱発泡材は、前記障子開き防止金具の加熱発泡材と前記遮炎金具の加熱発泡材の少なくとも一方の加熱発泡材と対向していることが望ましい。
【００２３】
このような窓によれば、縦レールがより確実に加熱発泡材により挟み込まれるため、縦レールが変形することをより適切に抑えることが可能となる。したがって、竪框に形成された凹部が縦レールからより一層外れにくくなり、火災が発生した際に竪框が開いて火炎の通り道が生ずることをより一層適切に防止することが可能となる。
【発明の効果】
【００２４】
本発明によれば、火災が発生した際に竪框が開いて火炎の通り道が生ずることを防止可能な窓を実現することができる。
【図面の簡単な説明】
【００２５】
【図１】引き違い窓１０の正面模式図である。
【図２】引き違い窓１０の縦断面図である。
【図３】引き違い窓１０の横断面図である。
【図４】図３の戸先框５６及びその周辺部を拡大した拡大図である。
【図５】係合溝部６０に、遮炎金具７０、引寄せ片７２、及び、障子開き防止金具８０が取り付けられている様子を示した分解斜視図である。
【図６】遮炎金具７０の係合溝部６０内における位置を示した拡大図である。
【図７】障子開き防止金具８０の係合溝部６０内における位置を示した拡大図である。
【図８】引寄せ片７２の係合溝部６０内における位置を示した拡大図である。
【図９】引寄せ片７２におけるアルミブロック７４と樹脂カバー７６の位置関係を示した図である。
【発明を実施するための形態】
【００２６】
＝＝＝本実施の形態に係る引き違い窓１０について＝＝＝
本実施の形態に係る窓の一例としての引き違い窓１０について、図１乃至図３を用いて説明する。図１は、引き違い窓１０の正面模式図である。図２は、引き違い窓１０の縦断面図である。図３は、引き違い窓１０の横断面図である。
【００２７】
なお、以下の説明においては、引き違い窓１０を室内側から見たときに、上下となる方向を上下方向、左右となる方向を左右方向、室内外方向である奥行き方向を見込み方向として示す。
【００２８】
本実施形態の引き違い窓１０は、高さ寸法が比較的大きい合成樹脂製の所謂テラス窓であり、枠体２０と、障子４０とを備えている。もちろん、引き違い窓１０はアルミニウム合金製でもよいし、また、所謂腰窓でもよい。ここでは、合成樹脂製のテラス窓を例に説明する。
【００２９】
枠体２０は、上枠３０と下枠３２と左右の縦枠３５とを備えている。上枠３０と下枠３２と左右の縦枠３５のいずれもが、合成樹脂製の押出成形部材である。そして、枠体２０は、これら４つの枠体が矩形状に枠組みされて、全体として開口を形成している。上枠３０と下枠３２は、左右方向に延びた長尺状の部材であり、縦枠３５は、上下方向に延びた長尺状の部材である。
【００３０】
障子４０は、枠体２０により形成された前記開口に収容される部材であり、外障子４０ａ及び内障子４０ｂを備える。障子４０は、枠体２０に対してスライド可能に設けられる。
【００３１】
障子４０は、框体５０と複層ガラス４２とを有している。
【００３２】
框体５０は、上框５２と、下框５４と、左右の竪框（すなわち、戸先框５６と召し合せ框５８）と、を備えている。上框５２と下框５４と左右の竪框のいずれもが、合成樹脂製の押出成形部材である。そして、框体５０は、これら４つの框体が矩形状に枠組みされて、全体として開口を形成している。そして、この開口に、複層ガラス４２が取り付けられている。上框５２と下框５４は、左右方向に延びた長尺状の部材であり、戸先框５６と召し合せ框５８は、上下方向に延びた長尺状の部材である。
【００３３】
複層ガラス４２は、外側の網入りガラス４２ａと内側のＬｏｗ−Ｅガラス４２ｂとが見込み方向において間隔を隔てて対面したガラスであり、網入りガラス４２ａとＬｏｗ−Ｅガラス４２ｂの上下方向と左右方向の内周端には、内部に乾燥剤が封入されたスペーサー４２ｃが設けられている。
【００３４】
＜＜＜戸先框５６とその周辺の構成について＞＞＞
次に、本実施の形態に係る障子４０の戸先框５６とその周辺の構成について、図４乃至図９を用いて説明する。図４は、図３の戸先框５６及びその周辺部を拡大した拡大図である。図５は、係合溝部６０に、遮炎金具７０、引寄せ片７２、及び、障子開き防止金具８０が取り付けられている様子を示した分解斜視図である。図６乃至図８は、図４において、遮炎金具７０、障子開き防止金具８０、及び、引寄せ片７２に網掛けを施した図であり、遮炎金具７０、障子開き防止金具８０、引寄せ片７２の係合溝部６０内における位置を示した拡大図である。図９は、引寄せ片７２におけるアルミブロック７４と樹脂カバー７６の位置関係を示した図である。
【００３５】
なお、本実施の形態においては、戸先框５６として、外障子４０ａに設けられた戸先框５６と内障子４０ｂに設けられた戸先框５６が存在するが、戸先框５６とその周辺の構成は、どちらの戸先框５６でも略同様なので、以下では、外障子４０ａに設けられた戸先框５６について説明する。なお、図４乃至図８にも、外障子４０ａの戸先框５６が表されている。
【００３６】
戸先框５６は、凹部の一例としての係合溝部６０と、中空部６２と、ガラス収容部６４とを備えている。
【００３７】
係合溝部６０は、障子４０が閉められた際に、縦枠３５に備えられた縦レール３７と係合する部分である。縦レール３７は、縦枠３５から左右方向における内側（中央側）へ向かって突出するように縦枠３５に設けられた金属製（アルミニウム製）の押出成形部材であり、上下方向において縦枠３５の一端から他端に亘って（縦枠３５の長手方向に連続して）設けられている。そして、障子４０が閉められた際に、縦レール３７が係合溝部６０の溝内に入り込み、縦レール３７の左右方向における先端部が係合溝部６０の後述する溝底面６０ｃに取り付けた引寄せ片７２に接触するようになっている。
【００３８】
係合溝部６０は、横断面においてコ字状を備え、互いに対向する２つの溝側面（室内側の溝側面を室内側溝側面６０ａと、室外側の溝側面を室外側溝側面６０ｂと呼ぶ）と、溝底面６０ｃと、を有している。溝側面は横断面において左右方向に沿った面であり、溝底面６０ｃは横断面において見込み方向に沿った面である。
【００３９】
係合溝部６０の溝内には、以下に説明する三種類の部材、すなわち、遮炎金具７０、引寄せ片７２、障子開き防止金具８０が取り付けられている。
【００４０】
遮炎金具７０は、不燃性または難燃性の薄板であり、火災の際に火炎を遮る機能を備える。この遮炎金具７０は、金属製（ステンレススチール製）の長尺状の部材であり、係合溝部６０（戸先框５６）の上下方向における一端から他端に亘って（係合溝部６０（戸先框５６）の長手方向に連続して）設けられている。
【００４１】
また、遮炎金具７０は、横断面においてＬ字状を備え、横断面において見込み方向に沿った部分（第一遮炎金具部分７０ａと呼ぶ）と、横断面において左右方向に沿った部分（第二遮炎金具部分７０ｂと呼ぶ）と、を有している。そして、第一遮炎金具部分７０ａが溝底面６０ｃを覆い、かつ、第二遮炎金具部分７０ｂが室外側溝側面６０ｂを覆うように、係合溝部６０に取り付けられている。換言すれば、遮炎金具７０は、第一遮炎金具部分７０ａが溝底面６０ｃに重なった状態で接触し、第二遮炎金具部分７０ｂが室外側溝側面６０ｂに重なった状態で接触するように設けられている。
【００４２】
そして、遮炎金具７０の第一遮炎金具部分７０ａにはビス穴が設けられており、遮炎金具７０（第一遮炎金具部分７０ａ）はビス９０により後述する補強材７８に固定されている。
【００４３】
引寄せ片７２は、気密性能及び防水性能を向上させるために設けられる部材であり、障子４０が閉められた際に、縦レール３７と係合して障子４０を見込み方向における内側（障子４０が外障子４０ａであれば室内側、障子４０が内障子４０ｂであれば室外側）へ引き寄せる機能を備える。この引寄せ片７２は、金属製（アルミニウム製）のアルミブロック７４と合成樹脂製の樹脂カバー７６とで構成されている。すなわち、引寄せ片７２は、アルミブロック７４が樹脂カバー７６によって覆われたものである。
【００４４】
本実施の形態において、引寄せ片７２は、複数個、例えば４つ設けられており、各々の引寄せ片７２は所定間隔で係合溝部６０（戸先框５６）の上下方向における異なる位置に取り付けられている。
【００４５】
引寄せ片７２は、引寄せ片本体７２ａと、引寄せ片本体７２ａから左右方向において縦枠３５へ向かって突出した突出部７２ｂとを備えている。引寄せ片本体７２ａにはビス穴が設けられており、引寄せ片７２（引寄せ片本体７２ａ）はビス９０により後述する補強材７８に固定されている。
【００４６】
突出部７２ｂは、障子４０が閉まった状態において、見込み方向において縦レール３７よりも室内側に位置している。そして、突出部７２ｂは、縦レール３７よりも室内側に位置した状態で、見込み方向において縦レール３７とオーバーラップしている（重なり合っている）。また、突出部７２ｂには、テーパー部分が備えられ、このテーパー部分が縦レール３７のテーパー部分と係合して、突出部７２ｂの引き寄せ機能が発揮されるようになっている。
【００４７】
なお、本実施の形態に係る引寄せ片７２は、当該引き寄せ機能の他に、火災の際に障子４０（戸先框５６）が開いて火炎の通り道が生ずることを防止する機能を有している。すなわち、火災が発生すると、障子４０（戸先框５６）が見込み方向において加熱面側（本実施の形態においては、室外側に火災が発生することを想定しているため、加熱面側は室外側となる）へ引っ張られる。つまり、障子４０（戸先框５６）には、見込み方向において室内側から室外側へ向かう力が働く。
【００４８】
これに対し、本実施の形態においては、戸先框５６に取り付けられた引寄せ片７２の突出部７２ｂが、縦レール３７よりも室内側に位置した状態で、見込み方向において縦レール３７とオーバーラップしているので、障子４０（戸先框５６）に前記力がかかって動こうとしても、引寄せ片７２の突出部７２ｂが縦レール３７に当たってブロックされる。そのため、火災の際に、引寄せ片７２（突出部７２ｂ）は、障子４０（戸先框５６）が開いて火炎の通り道が生ずることを防止する役割を果たす。
【００４９】
さらに、本実施の形態に係る引寄せ片７２においては、突出部７２ｂが樹脂カバー７６とアルミブロック７４とで構成されており、樹脂カバー７６だけでなくアルミブロック７４も見込み方向において縦レール３７とオーバーラップしている。つまり、アルミブロック７４は見込み方向において縦レールと重なり合う重なり部（つまり、突出部７２ｂ）を有しているので、火災の際に樹脂カバー７６が火炎に晒されて溶融したとしても、アルミブロック７４が縦レール３７に当たってブロックされ、障子４０（戸先框５６）が開いて火炎の通り道が生ずることを防止する機能が発揮される。
【００５０】
障子開き防止金具８０は、引寄せ片７２とは別に設けられた薄板状の金具であり、引寄せ片７２と同様、火災の際に障子４０（戸先框５６）が開いて火炎の通り道が生ずることを防止する機能を有している。
【００５１】
しかしながら、障子開き防止金具８０は、引寄せ片７２とは異なり、一つだけ設けられている。また、引寄せ片７２とは異なり、火災発生時にのみ機能する障子開き防止のための専用部材である。
【００５２】
この障子開き防止金具８０は、金属製（ステンレススチール製）の長尺状の部材であり、その上下方向に長さは、前記引寄せ片７２（アルミブロック７４）の上下方向における長さよりも長く、戸先框５６の上下方向における長さの８％以上１２％以下である。また、障子開き防止金具８０については、遮炎金具７０よりも厚いステンレススチールを用いている（障子開き防止金具８０が１．５ｍｍに対し、遮炎金具７０が０．５ｍｍ）。
【００５３】
また、障子開き防止金具８０は、係合溝部６０（戸先框５６）の下部に取り付けられている。障子開き防止金具８０は、横断面においてＬ字状又はコ字状（本実施の形態においては、Ｌ字状）を備え、横断面において見込み方向に沿った部分（第一防止金具部分８０ａと呼ぶ）と、横断面において左右方向に沿った部分（第二防止金具部分８０ｂと呼ぶ）と、を有している。そして、第一防止金具部分８０ａが、溝底面６０ｃを覆っている前記第一遮炎金具部分７０ａを覆うように、かつ、第二防止金具部分８０ｂが室内側溝側面６０ａを覆うように、係合溝部６０に取り付けられている。換言すれば、障子開き防止金具８０は、第一防止金具部分８０ａが第一遮炎金具部分７０ａに重なった状態で接触し、第二防止金具部分８０ｂが室内側溝側面６０ａに重なった状態で接触するように設けられている。
【００５４】
そして、第一防止金具部分８０ａにはビス穴が設けられており、障子開き防止金具８０（第一防止金具部分８０ａ）はビス９０により後述する補強材７８に固定されている。
【００５５】
第二防止金具部分８０ｂは、障子４０が閉まった状態において、見込み方向において縦レール３７よりも室内側に位置している。そして、第二防止金具部分８０ｂは、縦レール３７よりも室内側に位置した状態で、見込み方向において縦レール３７とオーバーラップしている（重なり合っている）。つまり、第二防止金具部分８０ｂは、見込み方向において縦レール３７と重なり合う重合部Ａに相当する。なお、障子開き防止金具８０については、遮炎金具７０よりも厚いステンレススチールを用いているので、重合部Ａの厚み（１．５ｍｍ）も遮炎金具７０（０．５ｍｍ）の厚みよりも厚くなっている。
【００５６】
前述したとおり、火災が発生すると、障子４０（戸先框５６）が見込み方向において加熱面側（本実施の形態においては、室外側に火災が発生することを想定しているため、加熱面側は室外側となる）へ引っ張られる。つまり、障子４０（戸先框５６）には、見込み方向において室内側から室外側へ向かう力が働く。
【００５７】
これに対し、戸先框５６に取り付けられた障子開き防止金具８０の第二防止金具部分８０ｂが、縦レール３７よりも室内側に位置した状態で、見込み方向において縦レール３７とオーバーラップしているので、障子４０（戸先框５６）に前記力がかかって動こうとしても、障子開き防止金具８０の第二防止金具部分８０ｂが縦レール３７に当たってブロックされる。そのため、火災の際に、障子開き防止金具８０（第二防止金具部分８０ｂ）は、障子４０（戸先框５６）が開いて火炎の通り道が生ずることを防止する役割を果たす。
【００５８】
また、遮炎金具７０と障子開き防止金具８０には、加熱発泡材が取り付けられている。以下では、遮炎金具７０に設けられた加熱発泡材を遮炎金具側加熱発泡材８４（遮炎金具の加熱発泡材に相当）と、障子開き防止金具８０に設けられた加熱発泡材を防止金具側加熱発泡材８５（障子開き防止金具の加熱発泡材に相当）と、それぞれ呼ぶ。この加熱発泡材は、火災の際に火炎に晒されると膨張して、その体積が大きくなる。そして、このことにより、隙間を埋め、火炎の通り道を塞ぐことができる。
【００５９】
遮炎金具側加熱発泡材８４は、第二遮炎金具部分７０ｂに貼付され、防止金具側加熱発泡材８５は、第二防止金具部分８０ｂに貼付されている。そして、遮炎金具側加熱発泡材８４は、遮炎金具７０の上下方向における一端から他端に亘って（遮炎金具７０の長手方向に連続して）設けられ、防止金具側加熱発泡材８５は、障子開き防止金具８０の上下方向における一端から他端に亘って（障子開き防止金具８０の長手方向に連続して）設けられている。したがって、遮炎金具側加熱発泡材８４と防止金具側加熱発泡材８５は、双方の加熱発泡材の間に縦レール３７が位置した状態で（双方の加熱発泡材が縦レール３７を挟むようにして）、見込み方向において互いに対向している。換言すれば、遮炎金具側加熱発泡材８４は、見込み方向において、縦レール３７と対向し、防止金具側加熱発泡材８５も、見込み方向において、縦レール３７と対向している。なお、非火災時（加熱発泡材の非膨張時）には、縦レール３７は遮炎金具側加熱発泡材８４（防止金具側加熱発泡材８５）に接触していない。
【００６０】
また、縦レール３７にも、レール側加熱発泡材８６（レールの加熱発泡材に相当）が設けられており、このレール側加熱発泡材８６は、防止金具側加熱発泡材８５と遮炎金具側加熱発泡材８４の少なくとも一方の加熱発泡材（本実施の形態においては、双方の加熱発泡材）と対向している。つまり、本実施の形態においては、縦レール３７の室内側の面と室外側の面にそれぞれレール側加熱発泡材８６が貼付されており、室内側の面に貼られたレール側加熱発泡材８６と防止金具側加熱発泡材８５とが、双方の加熱発泡材が見込み方向において一部オーバーラップした（重なり合った）状態で対向している。また、室外側の面に貼られたレール側加熱発泡材８６と遮炎金具側加熱発泡材８４とが、双方の発泡材が見込み方向において一部オーバーラップした（重なり合った）状態で対向している。
【００６１】
戸先框５６の中空部６２は、係合溝部６０よりも左右方向における内側（中央側）に位置し、係合溝部６０と後述するガラス収容部６４との間に設けられている。中空部６２は、横断面において略矩形状を備えている。
【００６２】
また、戸先框５６の内部、すなわち、当該中空部６２には、補強材７８が挿入されている。この補強材７８は、金属製（スチール製）の長尺状の部材であり、中空部６２（戸先框５６）の上下方向における一端から他端に亘って（中空部６２（戸先框５６）の長手方向に連続して）設けられている。そして、前述したとおり、この補強材７８には、遮炎金具７０、引寄せ片７２、障子開き防止金具８０が、ビス９０により固定されている。
【００６３】
すなわち、補強材７８は、横断面においてコ字状を備え、横断面において見込み方向に沿った二つの部分（係合溝部６０により近い方を第一補強材部分７８ａと、ガラス収容部６４により近い方を第二補強材部分７８ｂと、それぞれ呼ぶ）と、横断面において左右方向に沿った部分（第三補強材部分７８ｃと呼ぶ）と、を有している。そして、遮炎金具７０、引寄せ片７２、障子開き防止金具８０は、当該第一補強材部分７８ａに固定されている。
【００６４】
つまり、遮炎金具７０及び引寄せ片７２を止めるビス９０が、引寄せ片７２と、遮炎金具７０と、補強材７８と、遮炎金具７０と補強材７８の間に位置する戸先框５６の壁部と、を貫通した状態で、遮炎金具７０及び引寄せ片７２を補強材７８（及び、壁部）に固定している。また、遮炎金具７０及び障子開き防止金具８０を止めるビス９０が、障子開き防止金具８０と、遮炎金具７０と、補強材７８と、遮炎金具７０と補強材７８の間に位置する戸先框５６の壁部と、を貫通した状態で、遮炎金具７０及び障子開き防止金具８０を補強材７８（及び、壁部）に固定している。
【００６５】
ガラス収容部６４は、複層ガラス４２の左右方向における端部を収容する部分である。当該ガラス収容部６４に収容された複層ガラス４２の外周を囲む金属製金具は、中空部６２内の補強材７８の前述した第二補強材部分７８ｂに固定されている。つまり、複層ガラス４２の外周を囲む金属製金具を止めるビス９０が、複層ガラス４２と、補強材７８と、複層ガラス４２と補強材７８の間に位置する戸先框５６の壁部と、を貫通した状態で、複層ガラス４２を補強材７８（及び、壁部）に固定している。
【００６６】
＝＝＝本実施の形態に係る引き違い窓１０の有効性について＝＝＝
上述したとおり、本実施の形態に引き違い窓１０は、上枠３０と下枠３２と左右の縦枠３５を備える枠体２０と、枠体２０に対してスライド可能に設けられ、上框５２と下框５４と左右の竪框（戸先框５６及び召し合せ框５８）を備える障子４０と、を有し、左右の縦枠３５の少なくとも一方の縦枠３５は、戸先框５６に形成された係合溝部６０と係合する縦レール３７を備えることとした。そして、係合溝部６０には、断面Ｌ字状又はコ字状であり、かつ、見込み方向において縦レール３７と重なり合う重合部Ａを有する障子開き防止金具８０が取り付けられていることとした。そのため、火災が発生した際に戸先框５６が開いて火炎の通り道が生ずることを防止可能な引き違い窓１０を実現することが可能となる。
【００６７】
従来の引き違い窓１０においては、火災が発生すると、障子４０が見込み方向において加熱面側へ引っ張られて、障子４０の戸先框５６に形成された係合溝部６０が縦レール３７から外れる（抜ける）場合があった。このような場合には、当該戸先框５６が開くことにより、火炎の通り道（貫通孔）が生じてしまう課題があった。
【００６８】
これに対し、本実施の形態においては、断面Ｌ字状又はコ字状であり、かつ、見込み方向において縦レール３７と重なり合う重合部Ａを有する障子開き防止金具８０が係合溝部６０に取り付けられていることとしたため、障子４０（戸先框５６）に加熱面側へ引っ張られる力がかかって動こうとしても、障子開き防止金具８０が縦レール３７に当たってブロックされる。そのため、障子開き防止金具８０が、火災の際に、障子４０（戸先框５６）が開いて火炎の通り道が生ずることを防止する役割を果たすので、火災が発生した際に戸先框５６が開いて火炎の通り道が生ずることを防止可能な引き違い窓１０を実現することが可能となる。
【００６９】
また、本実施の形態においては、係合溝部６０に、アルミブロック７４と樹脂カバー７６とで構成される引寄せ片７２が取り付けられており、アルミブロック７４は、見込み方向において縦レール３７と重なり合う重なり部を有することとした。
【００７０】
そのため、障子開き防止金具８０だけではなく、引寄せ片７２にも、火災の際に重なり部が縦レール３７に当たることにより戸先框５６が開いて火炎の通り道が生ずることを防止する機能を持たせることが可能となる。そのため、火災が発生した際に戸先框５６が開いて火炎の通り道が生ずることをより適切に防止することが可能となる。
【００７１】
また、本実施の形態においては、障子開き防止金具８０の上下方向における長さは、アルミブロック７４の上下方向における長さよりも長いこととした。
【００７２】
引寄せ片７２は、引寄せ機能を備えた従来部品であるため、当該従来部品に障子開き防止機能を設けることはできても、上下方向における長さを長くするのは難しい。本実施の形態においては、これを補うために、障子開き防止のための専用部材である障子開き防止金具８０の長さを引寄せ片７２（アルミブロック７４）の長さよりも大きくしている。そのため、当該専用部材に多大な障子開き防止機能を持たせることができ、火災が発生した際に戸先框５６が開いて火炎の通り道が生ずることをより適切に防止することが可能となる。
【００７３】
また、本実施の形態においては、障子開き防止金具８０の上下方向における長さは、戸先框５６の上下方向における長さの８％以上１２％以下であることとした。
【００７４】
障子開き防止金具８０の上下方向における長さが戸先框５６の上下方向における長さの８％より小さいと、障子開き防止機能が十分に働かず、一方、１２％より大きいと、長くする分の障子開き防止効果の向上があまり見込めず、コストメリットが少なくなる。そのため、かかる場合には、低コストで障子開き防止機能が適切に働く障子開き防止金具８０を実現することが可能となる。
【００７５】
また、本実施の形態においては、係合溝部６０に、戸先框５６の長手方向に連続する遮炎金具７０が取り付けられていることとした。
【００７６】
そのため、火炎を適切に遮ることが可能となり、より一層防火機能が向上する。
【００７７】
また、本実施の形態においては、障子開き防止金具８０の前記重合部Ａの厚みは、遮炎金具７０の厚みより厚いこととした。
【００７８】
そのため、障子開き防止金具８０が縦レール３７に当たった際に、障子開き防止金具８０の厚さが厚いことに起因して、障子開き防止金具８０が破損することなく、確実なブロックが成される。したがって、火災が発生した際に戸先框５６が開いて火炎の通り道が生ずることをより適切に防止することが可能となる。
【００７９】
また、本実施の形態においては、係合溝部６０の内部に、戸先框５６の長手方向に連続する金属製補強材（補強材７８）が挿入されており、障子開き防止金具８０は、補強材７８にビス９０により固定されていることとした。
【００８０】
そのため、火災の際に戸先框５６が火炎に晒されて溶融したとしても、金属製補強材（補強材７８）に障子開き防止金具８０が固定された状態が維持される。したがって、火災が発生した際に戸先框５６が開いて火炎の通り道が生ずることをより適切に防止することが可能となる。
【００８１】
また、本実施の形態においては、枠体２０と框体５０（具体的には、上枠３０と下枠３２と左右の縦枠３５と上框５２と下框５４と左右の竪框（戸先框５６及び召し合せ框５８））が合成樹脂製である一方で、上枠３０と上框５２には、障子閉鎖時に見込み方向において互いに重なり合うステンレススチール製の上枠吊り金具３１及び上框吊り金具５３とが設けられていることとした。すなわち、図２に示すように、上枠吊り金具３１及び上框吊り金具５３は、それぞれ上枠３０及び上框５２に固定され、障子４０が閉じられた際に、見込み方向において互いにオーバーラップする（重なり合う）ようになっている。そして、かかる状態において、火災が発生した際に、双方の吊り金具は、互いに係合して、障子４０を吊り下げる役割を果たす。つまり、上枠吊り金具３１及び上框吊り金具５３は、火災の際に合成樹脂製の枠体２０や框体５０が火炎に晒されて溶融しても障子４０が倒れない（崩落しない）ようにするためのものである。
【００８２】
そして、本実施の形態においては、上述した上枠吊り金具３１及び上框吊り金具５３の作用により、竪框（戸先框５６）の上部においては戸先框５６が比較的開きにくいので、障子開き防止金具８０は、戸先框５６がより開きやすい下部に設けられている。このように、本実施の形態においては、障子開き防止金具８０が戸先框５６における適切な位置に設けられているため、火災が発生した際に戸先框５６が開いて火炎の通り道が生ずることをより適切に防止することが可能となる。
【００８３】
また、本実施の形態においては、障子開き防止金具８０に、防止金具側加熱発泡材８５が取り付けられており、遮炎金具７０にも、遮炎金具側加熱発泡材８４が取り付けられており、防止金具側加熱発泡材８５と遮炎金具側加熱発泡材８４は、縦レール３７が双方の加熱発泡材の間に位置した状態で、互いに対向していることとした。
【００８４】
そのため、双方の加熱発泡材が、火災の際に火炎に晒されて膨張した際には、双方の間に位置する縦レール３７を挟み込むこととなり、縦レール３７が変形することを抑えることが可能となる。したがって、戸先框５６に形成された係合溝部６０が縦レール３７から外れにくくなり、火災が発生した際に戸先框５６が開いて火炎の通り道が生ずることをより適切に防止することが可能となる。
【００８５】
また、本実施の形態においては、縦レール３７に、レール側加熱発泡材８６が取り付けられており、レール側加熱発泡材８６は、防止金具側加熱発泡材８５と遮炎金具側加熱発泡材８４の少なくとも一方の加熱発泡材と対向していることとした。
【００８６】
そのため、縦レール３７がより確実に加熱発泡材により挟み込まれるため、縦レール３７が変形することをより適切に抑えることが可能となる。したがって、戸先框５６に形成された係合溝部６０が縦レール３７からより一層外れにくくなり、火災が発生した際に戸先框５６が開いて火炎の通り道が生ずることをより一層適切に防止することが可能となる。
【００８７】
＝＝＝その他の実施形態＝＝＝
上記の実施形態は、本発明の理解を容易にするためのものであり、本発明を限定して解釈するためのものではない。本発明は、その趣旨を逸脱することなく、変更・改良され得ると共に、本発明には、その等価物が含まれることは言うまでもない。
【００８８】
上記実施の形態においては、窓として、引き違い窓１０を例に挙げて説明したが、これに限定されるものではなく、障子が枠体に対してスライド可能に設けられた窓であればどのようなものでも構わない。例えば、片引き窓であってもよい。
【００８９】
また、上記実施の形態においては、引き違い窓１０について室外側に火災が発生することを想定した仕様としていたため、障子開き防止金具８０をＬ字状とし、重合部Ａ（第二防止金具部分８０ｂ）が、見込み方向において縦レール３７よりも室内側に位置することとした。
【００９０】
しかしながら、これに限定されるものではなく、室内側に火災が発生することを想定した仕様とした場合には、重合部Ａ（第二防止金具部分８０ｂ）が、見込み方向において縦レール３７よりも室外側に位置することとしてもよい。また、室外側及び室内側に火災が発生することを想定した仕様とした場合には、障子開き防止金具８０をコ字状とし、重合部Ａが、見込み方向において縦レール３７よりも室外側及び室内側に位置することとしてもよい。
【００９１】
また、上記実施の形態においては、引き違い窓１０が、高さ寸法が比較的大きいテラス窓であることとしたが、これに限定されるものではなく、例えば、通常の引き違い窓であってもよい。ただし、引き違い窓１０が大きいテラス窓である場合には、引寄せ片７２のみでは戸先框５６の開きを抑え難く、障子開き防止金具８０の重要性が高まる。かかる点で、上記実施の形態の方が、より効果的である。
【符号の説明】
【００９２】
１０  引き違い窓、
２０  枠体、３０  上枠、３１  上枠吊り金具、３２  下枠、
３５  縦枠、３７  縦レール、
４０  障子、
５０  框体、５２  上框、５３  上框吊り金具、５４  下框、
５６  戸先框、５８  召し合せ框、
６０  係合溝部、６２  中空部、
７０  遮炎金具、
７２  引寄せ片、７２ａ  引寄せ片本体、７２ｂ  突出部、
７４  アルミブロック、７６  樹脂カバー、
７８  補強材、
８０  障子開き防止金具、８０ａ  第一防止金具部分、８０ｂ  第二防止金具部分、
８４  遮炎金具側加熱発泡材、８５  防止金具側加熱発泡材、８６  レール側加熱発泡材、
９０  ビス
Ａ  重合部
【図１】
0006425977.tif 000002
【図２】
0006425977.tif 000003
【図３】
0006425977.tif 000004
【図４】
0006425977.tif 000005
【図５】
0006425977.tif 000006
【図６】
0006425977.tif 000007
【図７】
0006425977.tif 000008
【図８】
0006425977.tif 000009
【図９】
0006425977.tif 000010